(57)【要約】【課題】適度な毛髪の密度を持たせても頭皮への接着力が強く、かつ、違和感が少なくてかつらの一部分を構成することができるかつら用部分品を提供する。【解決手段】植設孔２ａ、２ｂ・・・２ｆが等間隔に形成された毛髪列４Ａ、４Ｂ、４Ｃを複数個形成した毛髪用基板２と、毛髪用基板２の各毛髪列４Ａ、４Ｂ、４Ｃに対応した裏面にほぼ同数の毛髪３が配設されるように、各毛髪列４Ａ、４Ｂ、４Ｃの隣接する植設孔２ａと２ｂ、２ｂと２ｃ・・・２ｅと２ｆに配設されたほぼ同数よりなる複数個の毛髪３と、毛髪用基板２の裏面及び毛髪用基板２の裏面に配設された毛髪３に接着剤６を介して固定された保持板７と、各毛髪列４Ａ、４Ｂ、４Ｃに対応した保持板７上に塗布された接着剤９Ａとからなる。【選択図】      図１
2006152523.tif 000002
【特許請求の範囲】
【請求項１】
植設孔が等間隔に形成された毛髪列を複数個形成した毛髪用基板と、この毛髪用基板の各毛髪列に対応した裏面にほぼ同数の毛髪が配設されるように、前記各毛髪列の隣接する植設孔に配設されたほぼ同数よりなる複数個の毛髪と、前記毛髪用基板の裏面及び前記毛髪用基板の裏面に配設された毛髪に第１の接着剤を介して固定された保持板と、各毛髪列に対応した前記保持板上に少なくとも塗布された第２の接着剤とからなることを特徴とするかつら用部分品。
【請求項２】
前記各毛髪列間には、前記毛髪用基板から前記第２の接着剤に貫通する複数個の通気孔が形成されていることを特徴とする請求項１記載のかつら用部分品。
【請求項３】
伸縮性の薄いフィルムを頭に被せ、請求項１又は２記載の構成よりなるかつら用部分品を頭に被せられた前記フィルムに貼り付けて形成したことを特徴とするかつら。
【発明の詳細な説明】
【技術分野】
【０００１】
本発明は、かつらの一部分を構成するためのかつら用部分品及び該かつら用部分品を用いたかつらに関する。
【背景技術】
【０００２】
頭の大部分を補うものとしてかつらが用いられ、頭の一部分を補うものとして増毛用ピースが用いられている。かつらとしては、例えば特許文献１が挙げられ、増毛用ピースとしては、例えば特許文献２及び３が挙げられる。またかつらへの毛髪の植設方法として、例えば特許文献４が挙げられる。
【特許文献１】特開２００１−  ８９９２１号公報
【特許文献２】特開２０００−２３９９１２号公報
【特許文献３】特開２００２−２２７０２２号公報
【特許文献４】特開２００４−２８５５２６号公報
【発明の開示】
【発明が解決しようとする課題】
【０００３】
特許文献１は、２個の植設孔を一対とし、これに一本の毛髪をＶ型に植設している。またＶ型に植設された植設孔間に通気孔を設けている。従って、一対の植設孔から隣の一対の植設孔のピッチは、植設孔から通気孔の長さの２倍となり、また通気孔はある程度の大きさを必要とするので、一対の隣接する植設孔のピッチもある程度の長さを必要とする。このため、植設孔に一本の毛髪を植設した場合には、毛髪の量の密度が小さくなって全体の毛髪が薄くなるという問題があった。
そこで、一対の植設孔に数本の毛髪を植設することが考えられる。しかし、この場合には、一対の植設孔の裏面に対応した部分が点状に突出することになり、この点状に突出した部分に塗布された接着剤のみが頭皮に接着されるので、接着力が弱くて剥がれ易く、また頭皮に接着させた際に違和感を感じ易くなる。
【０００４】
特許文献２及び３は、あくまでも部分的な増毛として使用するには好適であるが、頭の大部分に使用するには好ましくない。
【０００５】
本発明の第１の課題は、適度な毛髪の密度を持たせても頭皮又は頭に被せるかつらベースへの接着力が強く、かつ、違和感が少なくてかつらの一部分を構成することができるかつら用部分品を提供することにある。
【０００６】
本発明の第２の課題は、短時間に個人にフィットしたかつらを提供することにある。
【課題を解決するための手段】
【０００７】
上記第１の課題を解決するための本発明の請求項１は、植設孔が等間隔に形成された毛髪列を複数個形成した毛髪用基板と、この毛髪用基板の各毛髪列に対応した裏面にほぼ同数の毛髪が配設されるように、前記各毛髪列の隣接する植設孔に配設されたほぼ同数よりなる複数個の毛髪と、前記毛髪用基板の裏面及び前記毛髪用基板の裏面に配設された毛髪に第１の接着剤を介して固定された保持板と、各毛髪列に対応した前記保持板上に少なくとも塗布された第２の接着剤とからなることを特徴とする。
【０００８】
上記第１の課題を解決するための本発明の請求項２は、前記請求項１において、前記各毛髪列間には、前記毛髪用基板から前記第２の接着剤に貫通する複数個の通気孔が形成されていることを特徴とする。
【０００９】
上記第１及び第２の課題を解決するための本発明の請求項３は、伸縮性の薄いフィルムを頭に被せ、請求項１又は２記載の構成よりなるかつら用部分品を頭に被せられた前記フィルムに貼り付けて形成したことを特徴とする。
【発明の効果】
【００１０】
請求項１又は２によれば、毛髪用基板の各毛髪列の裏面には最初の植設孔から最後の植設孔までほぼ同数の毛髪が均一に一直線に盛り上がって配設されている。これにより、各毛髪列に対応した保持板及び第２の接着剤の部分が均一に一直線に盛り上がった形状となる。この均一に一直線に盛り上がった接着剤が頭皮又は頭に被せるかつらベースに接着されるので、接着力が強く、かつ頭皮に接着させた際における違和感が少なくなる。またはかつら用部分品を接着したかつらベースを頭に被せた際における違和感が少なくなる。
【００１１】
請求項１又は２によれば、伸縮性の薄いフィルムを頭に被せ、請求項１又は２記載の構成よりなるかつら用部分品を頭に被せられた前記フィルムに貼り付けてかつらを形成するので、短時間に個人にフィットしたかつらが得られる。
【発明を実施するための最良の形態】
【００１２】
本発明のかつら用部分品の一実施の形態を図１乃至図４により説明する。図１はかつら用部分品１を示す。このかつら用部分品１は、図２（ａ）に示す毛髪用基板２と図２（ｂ）に示す毛髪３とを有している。毛髪用基板２は、例えば皮膚アレルギーのないポリウレタン系のフィルムよりなっている。毛髪用基板２の大きさは、例えば短辺２０〜３０ｍｍ、長辺４０〜６０ｍｍの矩形形状で、その厚さは２０〜５０μｍとなっている。また毛髪用基板２には、３つの毛髪列４Ａ、４Ｂ、４Ｃにそれぞれ植設孔２ａ、２ｂ・・・２ｆが等間隔、例えば３〜５ｍｍのピッチＰで形成されている。
毛髪３は、植設孔２ａ、２ｂ・・・２ｆのピッチＰと同じピッチＰでＵ型に加熱して癖折りされている。毛髪３の素材は、人毛であっても人工毛であってもよい。
【００１３】
次に毛髪用基板２への毛髪３の植設を図２乃至図４により説明する。毛髪用基板２の毛髪列４Ａ、４Ｂ、４Ｃの隣接する植設孔、２ａと２ｂ、２ｂと２ｃ、２ｃと２ｄ・・・にそれぞれ同数で複数本の毛髪３を植設する。図３は３本の毛髪３を植設した場合を示す。従って、本実施の形態の場合には、植設孔２ａ及び２ｆには３本の毛髪３が挿入され、植設孔２ｂ〜２ｅにはそれぞれ６本の毛髪３が挿入される。
【００１４】
今、１例として、植設孔２ａと２ｂに３本の毛髪３を植設する場合を図４により説明する。毛髪用基板２の表面側より植設孔２ａと２ｂにそれぞれ毛髪挿入用ガイド５、５を挿入し、毛髪挿入用ガイド５、５の毛挿入側より毛髪３の端部を挿入する。そして、毛髪３を毛髪挿入用ガイド５、５に十分挿入した後に毛髪挿入用ガイド５、５を取外し、毛髪３の折り曲げ底部３ａを毛髪用基板２の裏面に密着させる。この毛髪３の植設は、他の植設孔２ｂと２ｃ、２ｃと２ｄ、２ｄと２ｅ、２ｅと２ｆ等にも同様にして行う。これにより、毛髪用基板２の裏面には、最初の植設孔２ａから最後の植設孔２ｆまで同数（３本）の毛髪３が配設されたことになり、毛髪列４Ａ、４Ｂ、４Ｃに対応した毛髪用基板２の裏面は毛髪３が均一に一直線に盛り上がる。
【００１５】
なお、上記実施の形態においては、図２（ｂ）及び図４に示すように、癖折りして折り曲げ底部３ａを形成した毛髪３を植設した場合について説明した。本実施の形態は毛髪３を癖折りしなく、〔従来の技術〕の項で上げた特許文献４のような方法で毛髪３を毛髪用基板２に植設した後、毛髪用基板２の裏面側の毛髪３部分を加熱して癖折りしてもよい。
【００１６】
次に図１に示すように、毛髪用基板２の裏面に接着剤６をスプレーで塗布した後に保持板７を接着するか、または接着剤６付の保持板７を接着する。接着剤６としては、例えば皮膚アレルギーのないポリウレタン系を用いる。保持板７は、毛髪用基板２と同材料で、該毛髪用基板２より薄い例えば１０〜２０μｍのフィルムを用いる。これにより、保持板７は各毛髪列４Ａ、４Ｂ、４Ｃに対応した部分が毛髪３によって盛り上がり、毛髪列４Ａと４Ｂ、４Ｂと４Ｃ間は凹形状となる。保持板７を接着剤６を介して毛髪用基板２に貼り付ける場合、保持板７に張力を加えた状態で貼り付けてもよい。これにより、貼り付けた後における保持板７の収縮によって毛髪用基板２の表面が丸みとなり、実際に頭皮への取付けに好ましい形状となる。
【００１７】
次に図１（ｂ）（ｃ）に示すように、毛髪列４Ａと４Ｂ、４Ｂと４Ｃ間に通気孔８を設ける。最後に、盛り上がった毛髪列４Ａ、４Ｂ、４Ｃの保持板７上に接着剤９Ａを塗布し、また保持板７の周辺にも接着剤９Ｂを塗布し、接着剤９Ａ、９Ｂ上にそれぞれ剥離シート１０Ａ、１０Ｂを貼り付ける。これにより、かつら用部分品１が形成される。
【００１８】
かつら用部分品１を頭皮に貼り付ける時は、剥離シート１０Ａ、１０Ｂを剥がし、接着剤９Ａ、９Ｂを頭側にして毛髪用基板２を頭皮に押し付ける。これにより、かつら用部分品１は頭皮に貼り付けられる。
かつら用部分品１としては、前もって毛髪３の長さＬが異なるものを３〜５種類準備しておく。例えば長さＬが長い５ｃｍのもの、中位長さ３ｃｍのもの、短い１〜２ｃｍのものを準備する。そして、かつら用部分品１を接着する頭の部分に応じた毛髪３の長さＬのかつら用部分品１を頭皮に貼り付ける。例えば、前頭部分には長さＬが長いかつら用部分品１を貼り付け、頭部の周辺及び後頭部分には長さＬが短いかつら用部分品１を貼り付け、前頭部分と後頭部分との間の部分には長さＬが中位長さのかつら用部分品１を貼り付ける。
【００１９】
前記したように、毛髪用基板２の各毛髪列４Ａ、４Ｂ、４Ｃの裏面には最初の植設孔２ａから最後の植設孔２ｆまで同数の毛髪３が均一に一直線に盛り上がって配設されている。これにより、各毛髪列４Ａ、４Ｂ、４Ｃに対応した保持板７及び接着剤９Ａの部分が均一に一直線に盛り上がった形状となる。この均一に一直線に盛り上がった接着剤９Ａが頭皮に接着されるので、接着力が強く、かつ頭皮に接着させた際における違和感が少なくなる。
【００２０】
本実施の形態は、かつら用部分品１は頭の大部分に貼り付ける場合のみでなく、特許文献２及び３のように部分的に貼り付ける場合にも適用できる。また本実施の形態はかつら用部分品１の一部が劣化した場合に、その部分のみを貼り変える場合にも適用できる。
【００２１】
また本実施の形態においては、３つの毛髪列４Ａ、４Ｂ、４Ｃで各毛髪列４Ａ、４Ｂ、４Ｃに６個の植設孔２ａ、２ｂ・・・２ｆを形成した場合について説明したが、毛髪列４Ａ、４Ｂ、４Ｃの数及び植設孔２ａ、２ｂ・・・２ｆの数は特に限定されるものではない。また各毛髪列４Ａ、４Ｂ、４Ｃの隣接する植設孔２ａと２ｂ、２ｂと２ｃ、２ｃと２ｄ、２ｄと２ｅ、２ｅと２ｆにそれぞれ３本の毛髪３を配設したが、その毛髪３の数は限定されるものではなく、例えば３〜５本であってもよい。
【００２２】
次に本発明のかつらの一実施の形態を図１及び図５により説明する。図５に示すように、伸縮性を有し多数の孔が形成された薄いフィルム２０を頭２１に密着して被せる。そして、図１に示すように形成されたかつら用部分品１をフィルム２０に貼り付ける。この場合、前記したように、例えば、前頭部分には長さＬが長いかつら用部分品１を貼り付け、頭部の周辺及び後頭部分には長さＬが短いかつら用部分品１を貼り付け、前頭部分と後頭部分との間の部分には長さＬが中位長さのかつら用部分品１を貼り付ける。
【００２３】
このように、個人の頭２１にフィルム２０を密着させ、これにかつら用部分品１を貼り付けてかつらを形成するので、短時間にその個人にフィットしたかつらが得られる。特に、かかるかつらを理髪店で製作してもらうと、整髪と同時に好みの髪型にその場で即座にできる。また多数の孔が形成されたフィルム２０を用いると、フィルム２０の孔にかつら用部分品１の通気孔８が合い、頭２１のむれが防止される。
【００２４】
また前記したように、かつら用部分品１は、毛髪用基板２の各毛髪列４Ａ、４Ｂ、４Ｃの裏面には最初の植設孔２ａから最後の植設孔２ｆまで同数の毛髪３が均一に一直線に盛り上がって配設されている。これにより、各毛髪列４Ａ、４Ｂ、４Ｃに対応した保持板７及び接着剤９Ａの部分が均一に一直線に盛り上がった形状となる。この均一に一直線に盛り上がった接着剤９Ａがフィルム２０に接着されるので、接着力が強く、かつかつらを頭２１に接着させた際における違和感が少なくなる。
【図面の簡単な説明】
【００２５】
【図１】本発明のかつら用部分品の一実施の形態を示し、（ａ）は（ｃ）のＡ−Ａ線断面説明図、（ｂ）は（ｃ）のＢ−Ｂ線断面説明図、（ｃ）は平面説明図である。
【図２】（ａ）は毛髪用基板の平面図、（ｂ）は毛髪の正面図である。
【図３】毛髪を毛髪用基板に植設した状態の毛髪列における断面説明図である。
【図４】毛髪の植設方法の一例を示す断面説明図である。
【図５】本発明のかつらの一実施の形態を示す説明図である。
【符号の説明】
【００２６】
１    かつら用部分品
２    毛髪用基板
２ａ、２ｂ・・・２ｆ    植設孔
３    毛髪
４Ａ、４Ｂ、４Ｃ    毛髪列
５    毛髪挿入用ガイド
６    接着剤
７    保持板
８    通気孔
９Ａ、９Ｂ    接着剤
１０Ａ、１０Ｂ    剥離シート
２０    フィルム
２１    頭
【図１】
2006152523.tif 000003
【図２】
2006152523.tif 000004
【図３】
2006152523.tif 000005
【図４】
2006152523.tif 000006
【図５】
2006152523.tif 000007